Podtech/llm-jp-corpus-v4-ja_patent huggingface dataset:
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
血管内撮像装置であって、
患者の血管内への挿入のためにサイジングされ、形成される可撓性の細長い部材であって、前記可撓性の細長い部材は、近位部分及び遠位部分を有する、可撓性の細長い部材と、
前記可撓性の細長い部材の前記遠位部分に配置される撮像アセンブリであって、前記撮像アセンブリは、
フレックス回路と、
前記可撓性の細長い部材に沿って延在し、前記フレックス回路と電気的に通信する導体と、
前記フレックス回路が周りに位置決めされる支持部材であって、前記支持部材は、前記導体と前記フレックス回路との間で電気信号を伝達するように前記導体及び前記フレックス回路に電気的に結合される導電性部分を含む、支持部材と
を含む、撮像アセンブリと
を有する、血管内撮像装置。
【請求項２】
前記導電性部分は、前記支持部材の近位フランジ上に配置される、請求項1に記載の装置。
【請求項３】
前記導電性部分は、前記支持部材に形成されるチャネルを通じて延在する、請求項1に記載の装置。
【請求項４】
前記フレックス回路は、前記支持部材の前記導電性部分と電気的に通信する、請求項1に記載の装置。
【請求項５】
前記フレックス回路は、複数のトランスデューサを有する第1のセクションと、複数のコントローラを有する第2のセクションと、前記複数のトランスデューサ及び前記複数のコントローラの間の通信を容易化する複数の導電性トレースを有する第3のセクションとを含む、請求項４に記載の装置。
【請求項６】
前記導電性部分は、前記複数のコントローラの少なくとも1つと電気的に通信する、請求項5に記載の装置。
【請求項７】
前記導電性部分は、前記近位フランジの表面上に配置される、請求項２に記載の装置。
【請求項８】
前記導電性部分は、前記近位フランジの壁内に配置される、請求項２に記載の装置。
【請求項９】
前記撮像アセンブリは複数の導体をさらに有し、前記支持部材は複数の導電性部分を含む、請求項1に記載の装置。
【請求項１０】
前記複数の導体は4つの導体を有し、前記複数の導電性部分は4つの導電性部分を有し、前記複数の導体の各々の一つは、前記複数の導電性部分の各々の一つと通信する、請求項9に記載の装置。
【請求項１１】
前記複数の導電性部分は、前記近位フランジの周囲に間隔をおいて配置される、請求項１０に記載の装置。
【請求項１２】
前記複数の導電性部分は互いに隣接する、請求項１０に記載の装置。
【請求項１３】
導電性部分と電気的に通信する導電性パッドをさらに有し、前記導体は前記導電性パッドに電気的に結合される、請求項1に記載の装置。
【請求項１４】
前記導体は前記導電性パッドに半田付けされる、請求項13に記載の装置。
【請求項１５】
血管内撮像装置を組み立てる方法であって、前記方法は、
導電性部分を有する支持部材を得るステップと、
フレックス回路が前記支持部材の前記導電性部分と電気的に通信するように前記フレックス回路を前記支持部材の周りに位置決めするステップと、
導体が前記導電性部分を介して前記フレックス回路と電気的に通信するように前記導体を前記支持部材の前記導電性部分に電気的に結合するステップと、
前記フレックス回路及び前記支持部材が可撓性の細長い部材の遠位部分に配置されるように、前記可撓性の細長い部材を前記フレックス回路又は前記支持部材の少なくとも1つに結合するステップと
を有する、方法。
【請求項１６】
前記取得するステップは、
前記支持部材のチャネルを導電性材料で充填するステップ
を含む、請求項15に記載の方法。
【請求項１７】
前記電気的に結合するステップは、前記導体を、前記支持部材の近位フランジ上に配置される導電性パッドに電気的に結合するステップを含む、請求項15に記載の方法。
【請求項１８】
前記電気的に結合するステップは、前記導体を前記支持部材の前記導電性部分に半田付けするステップを含む、請求項15に記載の方法。
【請求項１９】
前記導体を前記可撓性の細長い部材内に位置決めするステップを更に有する、請求項15に記載の方法。
【請求項２０】
前記支持部材は複数の導電性部分を含み、前記電気的に結合するステップは、複数の導体の各々の一つを前記複数の導電性部分の各々の一つに電気的に結合するステップを含む、請求項15に記載の方法。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
遠隔医療撮像システム管理装置であって、
撮像プロトコルに従って医用撮像データを取得するように構成される複数の医用撮像システムと、
-データリンクを介して前記複数の医用撮像システムに接続される中央ユニットと
を有し、前記中央ユニットは撮像プロトコルを有するデータベースを有し、前記中央ユニットは、前記複数の医用撮像システムに撮像プロトコルを分配するように構成され、前記遠隔医療撮像システム管理装置は、前記撮像プロトコルの適合が、前記複数の医用撮像システムの前記位置において制限されるように構成される、遠隔医療撮像システム管理装置。
【請求項２】
前記分配される撮像プロトコルは、標準化される撮像プロトコルを使用して標準化され、前記複数の医療撮像システムに対して同様である、請求項1に記載の遠隔医療撮像システム管理装置。
【請求項３】
各々の前記複数の医用撮像システムの1つ又は複数の前記位置において現在の患者のための撮像プロトコルの適合を可能にするように構成され、前記遠隔医療撮像システム管理装置は、将来の患者の使用のための前記適合を保存することを禁止するように構成される、請求項1又は2に記載の遠隔医療撮像システム管理装置。
【請求項４】
1つ又は複数の前記医用撮像システムの位置において撮像プロトコルの適合を可能にし、前記適合される撮像プロトコルを前記撮像プロトコルの新たなバージョンとしてデータベースに保存するように構成される、請求項1又は2に記載の遠隔医療撮像システム管理装置。
【請求項５】
前記データベースは、ライセンスの使用が必要とされる撮像プロトコルの選択を有し、前記遠隔医療撮像システム管理装置は、前記ライセンスが利用可能な前記医用撮像システムへの撮像プロトコルの前記選択のみを分配するように構成される、請求項1乃至４の何れか一項に記載の遠隔医療撮像システム管理装置
【請求項６】
前記遠隔医療撮像システム管理装置は、前記ライセンスが第2の医療撮像システムによって使用されていない場合、第1の医療撮像システムが前記ライセンスを使用することを可能にするように構成される、請求項5に記載の遠隔医療撮像システム管理装置。
【請求項７】
患者の状態に関する情報を有するデータベースをさらに有し、前記遠隔医療撮像システム管理装置は、個々の患者の状態に基づいて、前記個々の患者の撮像プロトコルを自動的に選択するようにさらに構成される、請求項1乃至６の何れか一項に記載の遠隔医療撮像システム管理装置。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
医用イメージングシステム管理装置であって、
医用イメージングデータを取得するように構成される複数の医用イメージングシステムであって、前記医用イメージングシステムは、現在の性能及び／又は期待される将来の性能を有し、前記医用イメージングシステムは、複数の被検体からイメージングデータを取得するために使用されるのに適しており、性能データは、医用画像ごと及び／又は医用イメージングシステムごとの画像品質の少なくとも１つに関する情報を含む、複数の医用イメージングシステムと、
データリンクを通じて前記医用イメージングシステムの１又は複数に接続される中央ユニットと、
を有し、
前記１又は複数の医用イメージングシステムが、現在の性能及び／又は期待される将来の性能に関連付けられる性能データを、前記中央ユニットに送信するように構成され、
前記中央ユニットが更に、前記性能データを解析し、ユーザにそれを提供するように構成されるアナライザを有し、
前記医用イメージングシステム管理装置は更に、前記医用イメージングシステムの１又は複数によって提供される画像品質データと、医用画像の画像品質との比較に基づいて、当該医用画像の不十分な画像品質を検出するように構成される、医用イメージングシステム管理装置。
【請求項２】
前記医用イメージングシステムの１又は複数がＭＲＩシステムである、請求項１に記載の医用イメージングシステム管理装置。
【請求項３】
前記複数の医用イメージングシステムについて前記画像品質を潜在的要因に関連付けるように構成される、請求項１又は２に記載の医用イメージングシステム管理装置。
【請求項４】
前記性能データが、一日当たりの検査の数、患者セットアップ時間、必要とされる再スキャンの数、実際の取得時間、コイル配置時間、医用イメージングシステムが使用されない時間、スキャン間の遅延、及び検査間の遅延のうち少なくとも１つに関する情報を有する、請求項１乃至３のいずれか１項に記載の医用イメージングシステム管理装置。
【請求項５】
一日当たりの検査の数、患者セットアップ時間、必要な再スキャンイの数、実際の取得時間、コイル配置時間、医用イメージングシステムが使用されない時間、スキャン間の遅延、及び検査間の遅延のうちの少なくとも１つを、前記医用イメージングシステムの間で比較するように構成される、請求項４に記載の医用イメージングシステム管理装置。
【請求項６】
前記複数の医用イメージングシステムについて、前記性能データを潜在的要因に関連付けるように構成される、請求項５に記載の医用イメージングシステム管理装置。
【請求項７】
前記性能データに基づいて、前記医用イメージングシステムの１又は複数に関する改善されたイメージングスケジュール、イメージングプロトコル又はワークフローのうち少なくとも１つを決定し、ユーザに提供するように更に構成される、請求項１乃至６のいずれか１項に記載の医用イメージングシステム管理装置。
【請求項８】
前記中央ユニットが、前記医用イメージングシステムの１又は複数を少なくとも部分的に制御する、請求項１乃至７のいずれか１項に記載の医用イメージングシステム管理装置。
【請求項９】
前記医用イメージングシステムは、イメージングスケジュールに従って動作し、前記イメージングスケジュールは、第１の期間及び第２の期間を有し、オペレータの作業負荷は、前記第２の期間の間よりも、前記第１の期間の間のほうが低く、前記医用イメージングシステム管理装置は、個々の異なる医用イメージングシステムの間で前記第２の期間の重なりが低減され又は制限されるように、医用イメージングシステムごとのイメージングスケジュールを生成する、請求項８に記載の医用イメージングシステム管理装置。
【請求項１０】
前記医用イメージングシステムが１又は複数のコンポーネントを有し、前記性能データが、前記１又は複数のコンポーネントの現在の性能及び／又は将来の期待される性能の尺度に関する情報を有する、請求項１乃至９のいずれか１項に記載の医用イメージングシステム管理装置。
【請求項１１】
前記医用イメージングシステム管理装置は、コンポーネントブレークダウン又は性能低下に関する実際のデータと、以前の日付からの現在の性能及び／又は将来の期待される性能の尺度を関連付け、前記医用イメージングシステム管理装置は更に、性能低下及び／又はコンポーネントブレークダウンの改善された予測のために前記関連付けを使用する、請求項１０に記載の医用イメージングシステム管理装置。
【請求項１２】
請求項１乃至１１のいずれか１項に記載の医用イメージングシステム管理装置において使用されるように構成されたアナライザ。
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
医療機器導入器であって、
近位端及び遠位端を有するハウジングと、前記近位端から前記遠位端まで機器を支持する機器サポートと、
前記ハウジングを通って前記機器を逐次前進させる駆動アクチュエータを有する機器駆動アセンブリと、を含み、
前記ハウジングは前記近位端から前記遠位端の間で開放可能であり、前記機器が前記ハウジングからの取り外しを可能にする、医療機器導入器。
【請求項２】
前記逐次前進を調整するストロークリミッタを更に備える、請求項１に記載の医療機器導入器。
【請求項３】
前記機器の放射方向への挿入又は取り外しを可能にする複数の放射状溝を更に備える、請求項１に記載の医療機器導入器。
【請求項４】
取り外し可能な遠位キャップを更に備える、請求項１に記載の医療機器導入器。
【請求項５】
前記機器駆動アセンブリは駆動モータを備え、前記駆動モータは可逆的に作動可能であり、前記機器の前進と反対の方向に前記ハウジングを通って前記機器を撤去する、請求項１〜４のいずれか一項に記載の医療機器導入器。
【請求項６】
前記ハウジングは、オープンフレームを含む、請求項１〜４のいずれか一項に記載の医療機器導入器。
【請求項７】
前記ハウジングが、前記機器にアクセスするために複数の部分に分離可能である少なくとも１つの開放可能な継ぎ目を含む、請求項１〜４のいずれか一項に記載の医療機器導入器。
【請求項８】
前記少なくとも１つの開閉可能な継ぎ目は、前記ハウジングの前記近位端から前記遠位端まで延びる、請求項７に記載の医療機器導入器。
【請求項９】
前記ハウジングは、前記機器へのアクセスを可能にするドア部材を含む、請求項１に記載の医療機器導入器。
【請求項１０】
前記遠位キャップは、前記機器を受け取るための通路を含み、前記遠位キャップは、前記機器からの取り外しを可能にするために分離可能である、請求項４に記載の医療機器導入器。
【請求項１１】
前記遠位キャップが、患者の組織と連結するための連結端を含む、請求項４または１０に記載の医療機器導入器。
【請求項１２】
前記遠位キャップは、一度だけ使用されるように構成される、請求項４、１０、または１１に記載の医療機器導入器。
【請求項１３】
前記ハウジングは再利用可能である、請求項１〜１２のいずれか一項に記載の医療機器導入器。
【請求項１４】
前記機器は湾曲した又は曲線状の機器である、請求項１〜１３のいずれか一項に記載の医療機器導入器。
【請求項１５】
前記機器を回転させるための回転駆動構成をさらに備える、請求項１〜１４のいずれか一項に記載の医療機器導入器。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
血管経路に挿入するようにサイズ及び形状が決められた細長い本体と、
前記細長い本体の長さに沿って延びる回転駆動部材と、
前記回転駆動部材の遠位部分に結合された光放出器であって、関心領域内の組織に光学パルスを放出する前記光放出器と、
前記回転駆動部材の前記遠位部分に結合された測定装置とを備える、医療用感知デバイスであって、前記測定装置は、
前記光学パルスと組織との相互作用の結果として組織によって生成された音波を受信し、
超音波信号を送信し、
送信された超音波信号に基づく超音波エコー信号を受信する、医療用感知デバイス。
【請求項２】
前記測定装置と通信する処理エンジンであって、受信した音波及び受信した超音波エコー信号に基づいて前記関心領域の画像を生成するように動作可能な前記処理エンジンをさらに備える、請求項１に記載の医療用感知デバイス。
【請求項３】
前記処理エンジンと通信するディスプレイであって、前記関心領域の前記画像を視覚的に表示する前記ディスプレイを備える、請求項２に記載の医療用感知デバイス。
【請求項４】
前記回転駆動部材が前記測定装置の長手軸の周りで前記光放出器を回転させる、請求項１に記載の医療用感知デバイス。
【請求項５】
前記光放出器が外部光源と通信する、請求項１に記載の医療用感知デバイス。
【請求項６】
前記測定装置と前記外部光源とを光ファイバが接続する、請求項５に記載の医療用感知デバイス。
【請求項７】
前記測定装置は少なくとも１つの超音波トランスデューサを備え、前記超音波トランスデューサは、超音波信号を送信し、送信された超音波信号に基づく前記超音波エコー信号を受信する、請求項１に記載の医療用感知デバイス。
【請求項８】
前記少なくとも１つの超音波トランスデューサはさらに、前記光学パルスと組織との相互作用の結果として組織によって生成された音波を受信する、請求項７に記載の医療用感知デバイス。
【請求項９】
前記少なくとも１つの超音波トランスデューサが、音波と超音波エコー信号とを交互に受信する、請求項８に記載の医療用感知デバイス。
【請求項１０】
前記測定装置はさらに、前記光学パルスと組織との相互作用の結果として組織によって生成された音波を受信する少なくとも１つの光音響トランスデューサを備える、請求項７に記載の医療用感知デバイス。
【請求項１１】
前記少なくとも１つの光音響トランスデューサと前記少なくとも１つの超音波トランスデューサとが、音波と超音波エコー信号とを交互に受信する、請求項１０に記載の医療用感知デバイス。
【請求項１２】
光学パルスを放出する光源をさらに備える、請求項１から１１のいずれか一項に記載の医療用感知デバイスと、
前記光源と通信する血管内デバイスとを備える、医療用感知システムであって、
前記光放出器は、前記回転駆動部材の遠位部分に結合され、前記光源から受信した光学パルスを関心領域内の組織に放出する、医療用感知システム。
【請求項１３】
前記血管内デバイスと前記光源との間に延びる光ファイバをさらに備える、請求項１２に記載の医療用感知システム。
【請求項１４】
前記光源の動作及び前記回転駆動部材の回転を制御するように動作可能なコントローラをさらに備える、請求項１２に記載の医療用感知システム。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
（ａ）内径および外径、近位端および遠位端を有する実質的に固体のマーカーバンドと、（ｂ）前記マーカーバンド内に取り付けられた弾性メッシュ本体であって、前記本体は長さｙであり、前記本体は長さｘの追加の弾性メッシュ材料の塊を含み、ｙはｘより大きく、前記本体は前記マーカーバンドから遠位方向に延在し、第１の送達形状および第２の拡張可能な展開形状を有する、弾性メッシュ本体とを含む閉塞装置。
【請求項２】
前記本体が、周方向に折り畳まれた二重メッシュ層を含む、請求項１に記載の閉塞装置。
【請求項３】
弾性メッシュ本体および追加弾性メッシュ材料の前記塊が異なる金属である、請求項１に記載の閉塞装置。
【請求項４】
前記弾性メッシュ本体がニチノールから構成される、請求項１に記載の閉塞装置。
【請求項５】
追加の弾性メッシュの前記塊がニチノールから構成される、請求項１に記載の閉塞装置。
【請求項６】
前記マーカーバンドが剛性部材を含む、請求項１に記載の閉塞装置。
【請求項７】
前記マーカーバンドが、リング、カラー、および縫合糸からなる群から選択される剛性部材を含む、請求項１に記載の閉塞装置。
【請求項８】
前記マーカーバンドが補強される、請求項１に記載の閉塞装置。
【請求項９】
左心耳（ＬＡＡ）閉塞装置である、請求項１に記載の閉塞装置。
【請求項１０】
患者の左心耳（ＬＡＡ）を治療または改善するための方法であって、
ｉ）ＬＡＡに閉塞装置を送達することであって、前記装置は（ａ）内径および外径、近位端および遠位端を有する実質的に固体のマーカーバンドと、（ｂ）前記マーカーバンド内に取り付けられた弾性メッシュ本体であって、前記本体は長さｙであり、前記本体は長さｘの追加の弾性メッシュ材料の塊を含み、ｙはｘより大きく、前記本体は前記マーカー
バンドから遠位方向に延在し、第１の送達形状および第２の拡張可能な展開形状を有する、弾性メッシュ本体とを含む、送達すること、および
ｉｉ）前記ＬＡＡ内で前記閉塞装置を展開し、それによって前記患者のＬＡＡを治療または改善すること
を含む方法。
【請求項１１】
電解ワイヤを使用して前記ＬＡＡに隣接する左心房空間を介して前記装置を展開することを含む、請求項１０に記載の方法。
【請求項１２】
前記装置をカテーテルで展開することを含む、請求項１０に記載の方法。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
吸着ガス分離器を格納するための収容器と、
前記収容器と接続しているロータアセンブリであり、少なくとも１つの接触器を備え、前記少なくとも１つの接触器は少なくとも１つの吸着材料を備える前記ロータアセンブリと、
前記収容器に接続された固定子と、
前記固定子および前記ロータアセンブリの間にシールを形成するための前記固定子に接続された少なくとも１つのポートアセンブリとを備え、
前記少なくとも１つのポートアセンブリはさらに、
前記少なくとも１つの接触器に流体連結するための流体通路と、
前記固定子に接続された隔壁であり、前記流体通路に流体連結するための前記流体通路を有する前記隔壁と、
前記隔壁に接着し、前記ロータアセンブリに接続するフローティングシールであり、前記流体通路に流体連結するための前記流体通路を有し、前記隔壁は柔軟性で前記フローティングシールの移動を可能にする前記フローティングシールを備える吸着ガス分離器。
【請求項２】
前記ポートアセンブリは、前記フローティングシールを前記ロータアセンブリと接続するようにするための封止付勢装置をさらに備える請求項１に記載の吸着ガス分離器。
【請求項３】
前記ポートアセンブリは、前記封止付勢装置を調整するための封止力調整装置をさらに備える請求項２に記載の吸着ガス分離器。
【請求項４】
前記ポートアセンブリは、前記隔壁を前記固定子に接続するための格納器をさらに備える請求項１に記載の吸着ガス分離器。
【請求項５】
前記格納器は、１０Ｗ／ｍＫ未満の熱導電率を有する材料をさらに備える請求項４に記載の吸着ガス分離器。
【請求項６】
前記フローティングシールは、１０Ｗ／ｍＫ未満の熱導電率を有する材料をさらに備える請求項１に記載の吸着ガス分離器。
【請求項７】
前記フローティングシールは、ポリテトラフルオロエチレン、黒鉛またはアラミドをさらに備える請求項１に記載の吸着ガス分離器。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
第１の成分および第２の成分を含む多成分流体混合物の少なくとも一部を１つ以上の成分に分離するための吸着ガス分離プロセスであって、前記吸着ガス分離プロセスは、
ａ．前記多成分流体混合物を供給ストリームとして少なくとも１つの接触器に流入させて、前記供給ストリームの第１の成分の少なくとも一部を前記少なくとも１つの接触器内の少なくとも１つの吸着材料に吸着させるとともに、前記供給ストリームに対して前記第１の成分が少なくとも定期的に使い果たされる第１の生成物ストリームを前記少なくとも１つの接触器から回収するステップと、
ｂ．少なくとも第３の成分を更に含む第１の再生ストリームを前記少なくとも１つの接触器に流入させて、前記少なくとも１つの接触器内の前記少なくとも１つの吸着材料に吸着される前記第１の成分の少なくとも一部を脱着させるとともに、前記供給ストリームと比べて前記第１の成分が豊富な第２の生成物ストリームを前記少なくとも１つの接触器から回収するステップと、
ｃ．前記第２の生成物ストリームを凝縮熱交換器に流入させて、前記第３の成分を凝縮させるとともに、凝縮物ストリームと精製された第２の生成物ストリームとを形成して、前記凝縮熱交換器内及び前記少なくとも１つの接触器内に減圧をもたらすステップと、
を含む吸着ガス分離プロセス。
【請求項２】
前記凝縮熱交換器及び前記少なくとも１つの接触器で前記減圧を維持するステップを更に含む請求項１に記載のプロセス。
【請求項３】
前記凝縮熱交換器、前記少なくとも１つの接触器、及び、前記少なくとも１つの接触器の上流側の管路で前記減圧を維持するステップを更に含む請求項２に記載のプロセス。
【請求項４】
前記凝縮熱交換器内及び前記少なくとも１つの接触器内の前記減圧が弁によって維持される又はポンプによって補助される請求項１又は２に記載のプロセス。
【請求項５】
前記精製された第２の生成物ストリームを前記凝縮熱交換器から回収して、前記精製された第２の生成物ストリームを少なくとも１つの排出装置の低圧ポートに流入させるとともに、圧縮された第２の生成物ストリームを前記少なくとも１つの排出装置の高圧ポートに流入させるステップを更に含む請求項１〜４のいずれか一項に記載のプロセス。
【請求項６】
前記圧縮された第２の生成物ストリームを前記少なくとも１つの排出装置の前記高圧ポートに流入させる前に前記凝縮熱交換器又は少なくとも１つの排出装置のうちの少なくとも一方に流体接続された圧縮機から前記圧縮された第２の生成物ストリームを回収するステップを更に含む請求項５に記載のプロセス。
【請求項７】
混合された第２の生成物ストリームを前記少なくとも１つの排出装置から回収して、前記混合された第２の生成物ストリームを圧縮機又は凝縮熱交換器のうちの少なくとも一方に流入させるステップを更に含む請求項５に記載のプロセス。
【請求項８】
前記少なくとも１つの接触器複数の固定領域又は移動領域を通じて循環させるステップおよび前記ステップｃの後に、
第２の再生ストリームを前記少なくとも１つの接触器に流入させて、前記少なくとも１つの接触器内の前記少なくとも１つの吸着材料に吸着された前記第３の成分及び第１の成分を脱着させるとともに、第３の生成物ストリームを前記少なくとも１つの接触器から回収するステップを更に含む請求項１に記載のプロセス。
【請求項９】
調整ストリームを前記少なくとも１つの接触器に流入させて、前記少なくとも１つの接触器内の前記少なくとも１つの吸着材料の温度を下げるステップを更に含む請求項１又は８に記載のプロセス。
【請求項１０】
前記ステップａ〜ｃが同時に行われる請求項１に記載のプロセス。
【請求項１１】
前記第１の成分が二酸化炭素である請求項１に記載のプロセス。
【請求項１２】
前記第３の生成物ストリームは、前記少なくとも１つの接触器に流入される前記供給ストリームの一部として流入される請求項８に記載のプロセス。
【請求項１３】
前記ステップａの前に、前記多成分流体混合物を伝熱装置に流入させて、前記多成分流体混合物を第１の温度閾値以下に下げるステップを更に含む請求項１に記載のプロセス。
【請求項１４】
前記第１の温度閾値が５０℃である請求項１３に記載のプロセス。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
（ａ）濾材と、
（ｂ）前記濾材に連結された筐体シール装置であって、
（ｉ）面を有するシール支持体と
（ｉｉ）前記シール支持体により支持され、半径方向を向くシール面と、前記シール支持体の面と前記半径方向を向くシール面との間の、シール部材面に沿って変化する厚さを有するシール部材と、
を含む筐体シール装置と、
を含むフィルタカートリッジ。
【請求項２】
（ａ）前記シール支持体と前記半径方向を向くシール面との間の厚さは軸方向に概して一定である、
請求項１に記載のフィルタカートリッジ。
【請求項３】
（ａ）気体流吸込み口および気体流吐出し口を有し、アクセスカバーを有する本体部分を含む筐体と、
（ｂ）波形壁筐体シール構造と、
（ｃ）前記筐体内に動作的に、取り外し可能に位置付けられ、前記波形壁筐体シール構造にシールされる請求項１に記載のフィルタカートリッジと、
を含むフィルタアセンブリ。
【請求項４】
（ａ）濾材と、
（ｂ）筐体シール装置であって、
（ｉ）半径方向を向くシール部材面を有するシール部材と、
（ｉｉ）前記シール部材面に沿って配置され、前記シール部材面を形成する複数のローブと、を含み、
（ｉｉｉ）前記複数のローブは約１ｍｍ／ローブ〜約２５ｍｍ／ローブのピッチを提供する
筐体シール装置と
を含むフィルタカートリッジ。
【請求項５】
（ａ）前記複数のローブは、約２ｍｍ／ローブ〜約１２ｍｍ／ローブのピッチを提供する、
請求項４に記載のフィルタカートリッジ。
【請求項６】
（ａ）前記濾材は前記シール部材面の周辺に沿って配置される、
請求項４〜５の何れか１項に記載のフィルタカートリッジ。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
バインダーと、
反応生成物を含むポリマー吸着剤と、
を含む複合顆粒であって、当該反応生成物が、
（ａ）重合性組成物の重合生成物を含む前駆体ポリマー材料であって、
前記重合性組成物が、
（１）前記重合性組成物中のモノマーの総重量に基づいて８〜６５重量％の無水マレイン酸と、
（２）前記重合性組成物中のモノマーの総重量に基づいて３０〜８５重量％のジビニルベンゼンと、
（３）前記重合性組成物中のノマーの総重量に基づいて０〜４０重量％のスチレン型モノマーであって、スチレン、アルキル置換スチレン、又はこれらの組み合わせである、スチレン型モノマーと、
を含む、前駆体ポリマー材料と、
（ｂ）アンモニア、単一の一級アミノ基（−ＮＨ２）を有する化合物、又は式−ＮＨＲ［式中、Ｒは水素若しくはアルキルである。］のアミノ基を少なくとも２つ有する化合物から選択される窒素含有化合物と、
の反応生成物である、複合顆粒。
【請求項２】
前記バインダーの量が、前記複合顆粒の重量に基づいて１〜３０重量％の範囲内にある、請求項１に記載の複合顆粒。
【請求項３】
前記ポリマー吸着剤が、酸塩基比色指示薬を更に含む、請求項１に記載の複合顆粒。
【請求項４】
前記ポリマー吸着剤が、少なくとも２５ｍ２／ｇと等しいＢＥＴ表面積を有する、請求項１に記載の複合顆粒。
【請求項５】
アルデヒドを吸着させる方法であって、
請求項１〜４のいずれか一項に記載のバインダーとポリマー吸着剤とを含む複合顆粒を用意する工程と、
前記複合顆粒を前記アルデヒドに曝露する工程と、
前記アルデヒドを前記ポリマー吸着剤上に吸着させる工程と、を含み、前記アルデヒドが式（Ｉ）の化合物：
Ｒ２−（ＣＯ）−Ｈ
（Ｉ）
［式中、Ｒ２は、水素、アルキル、ビニル、又はアリールである。］であり、
前記式（Ｉ）のアルデヒドの分子量が２００ｇ／ｍｏｌ以下である、方法。
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
関心領域内の患者の組織にレーザパルスを放出する１つ又は複数のレーザ放出器であって、前記患者の体外に配される前記１つ又は複数のレーザ放出器と、
前記関心領域の血管経路内に配置される少なくとも１つのトランスデューサを備える測定装置であって、
前記レーザパルスと前記組織との相互作用の結果として前記組織によって生成された音波を受信し、
超音波信号を送信し、
送信された超音波信号に基づく超音波エコー信号を受信し、
前記音波と前記超音波エコー信号とを交互に受信する前記測定装置と、
前記測定装置と通信する処理エンジンであって、受信した音波及び受信した超音波エコー信号に基づいて前記関心領域の画像を生成するように動作可能な前記処理エンジンと、
前記処理エンジンと通信するディスプレイであって、前記関心領域の画像を視覚的に表示する前記ディスプレイとを備える、医療用感知システム。
【請求項２】
前記測定装置がさらに、超音波信号を送信し、送信された超音波信号に基づく超音波エコー信号を受信する少なくとも１つの超音波トランスデューサを備える、請求項１に記載の医療用感知システム。
【請求項３】
前記少なくとも１つの超音波トランスデューサがさらに、前記レーザパルスと前記組織との相互作用の結果として前記組織によって生成された音波を受信する、請求項２に記載の医療用感知システム。
【請求項４】
前記測定装置がさらに、前記レーザパルスと前記組織との相互作用の結果として前記組織によって生成された音波を受信する少なくとも１つの光音響トランスデューサを備える、請求項２に記載の医療用感知システム。
【請求項５】
前記測定装置はさらに、前記レーザパルスと前記組織との相互作用の結果として前記組織によって生成された音波を受信する少なくとも１つの光音響トランスデューサを備える、請求項１に記載の医療用感知システム。
【請求項６】
前記関心領域は、前記血管経路と、前記血管経路の周囲の組織の領域とを含む、請求項１に記載の医療用感知システム。
【請求項７】
前記少なくとも１つの光音響トランスデューサ及び前記少なくとも超音波トランスデューサが、音波と超音波エコー信号を交互に測定し、前記少なくとも１つの光音響トランスデューサと前記少なくとも１つの超音波トランスデューサとのうちの一方のトランスデューサが音波又は超音波エコー信号を測定している間、前記少なくとも１つの光音響トランスデューサと前記少なくとも１つの超音波トランスデューサのうちの他方のトランスデューサは音波又は超音波エコー信号を測定しない、請求項４に記載の医療用感知システム。
【請求項８】
前記処理エンジンはさらに、前記少なくとも１つのトランスデューサの動作を制御するように動作可能である、請求項１に記載の医療用感知システム。
【請求項９】
前記処理エンジンはさらに、超音波信号を送信するために前記少なくとも１つのトランスデューサを起動するように動作可能である、請求項８に記載の医療用感知システム。
【請求項１０】
前記処理エンジンはさらに、音波と超音波エコー信号とのうちの少なくとも一方を受信するために前記少なくとも１つのトランスデューサを起動するように動作可能である、請求項８に記載の医療用感知システム。
【請求項１１】
前記少なくとも１つのトランスデューサは、前記測定装置の遠位部分の周囲に円周方向に配される、請求項１に記載の医療用感知システム。
【請求項１２】
前記少なくとも１つのトランスデューサは、前記測定装置の長手軸の周りで前記少なくとも１つのトランスデューサを回転させる駆動部材に結合される、請求項１に記載の医療用感知システム。
【請求項１３】
前記関心領域内の前記患者の前記組織にレーザパルスを放出する２つ以上のレーザ放出器をさらに備える、請求項１に記載の医療用感知システム。
【請求項１４】
前記２つ以上のレーザ放出器は、同時にレーザパルスを放出するか、又は、
前記２つ以上のレーザ放出器のうちの少なくとも１つのレーザ放出器が、前記測定装置の長手軸に対して斜めの角度でレーザパルスを放出する、請求項１３に記載の医療用感知システム。
【請求項１５】
前記１つ又は複数のレーザ放出器は、前記患者の体外のアレイ上に配され、好ましくは、前記アレイは弧の形状を有する、請求項１に記載の医療用感知システム。
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
患者の体内において組み合わされた光音響及び血管内超音波の感知を実行するための医療用感知システムであって、前記医療用感知システムは、
関心領域内の前記患者の組織に光学パルスを放出する光放出器であって、アクチュエータに接続された前記光放出器と、
前記関心領域内の前記患者の血管経路内に配置される測定装置と、
前記測定装置が接続される引戻しデバイスとを備え、
前記測定装置は、超音波信号を送信し、送信された超音波信号に基づく超音波エコー信号を受信する少なくとも１つの超音波トランスデューサを備え、ｉ）前記少なくとも１つの超音波トランスデューサがさらに、前記光学パルスと前記組織との相互作用の結果として前記組織によって生成された音波を受信するか、又はｉｉ）前記測定装置がさらに、前記光学パルスと前記組織との相互作用の結果として前記組織によって生成された音波を受信する少なくとも１つの光音響トランスデューサを備え、
前記光放出器は、前記患者の体外に配され、前記光学パルスをそれぞれ前記少なくとも１つの超音波トランスデューサ又は前記少なくとも１つの光音響トランスデューサに向かって放出し、
前記アクチュエータ及び前記引戻しデバイスは、前記光放出器及び前記測定装置の動きを調整する、医療用感知システム。
【請求項２】
前記測定装置は、前記光学パルスと前記組織との相互作用の結果として前記組織によって生成された音波を受信し、
超音波信号を送信し、
送信された超音波信号に基づく超音波エコー信号を受信する、請求項１に記載の医療用感知システム。
【請求項３】
前記測定装置と通信する処理エンジンであって、受信した前記音波及び受信した前記超音波エコー信号に基づいて前記関心領域の画像を生成するように動作可能な前記処理エンジンをさらに備える、請求項２に記載の医療用感知システム。
【請求項４】
前記処理エンジンと通信するディスプレイであって、前記関心領域の前記画像を視覚的に表示する前記ディスプレイをさらに備える、請求項３に記載の医療用感知システム。
【請求項５】
前記アクチュエータが前記引戻しデバイスと通信する、請求項１に記載の医療用感知システム。
【請求項６】
前記アクチュエータ及び前記引戻しデバイスは、前記光放出器と前記測定装置とを一緒に動かす、請求項１に記載の医療用感知システム。
【請求項７】
前記アクチュエータ及び前記引戻しデバイスは、前記光放出器と前記測定装置とを、同期した動きによって一緒に動かす、請求項６に記載の医療用感知システム。
【請求項８】
前記アクチュエータ及び前記引戻しデバイスを制御するように動作可能なコントローラをさらに含む、請求項１に記載の医療用感知システム。
【請求項９】
前記コントローラはさらに、前記光放出器と前記測定装置との動きを同期させるように動作可能である、請求項８に記載の医療用感知システム。
【請求項１０】
前記少なくとも１つの光音響トランスデューサ及び前記少なくとも１つの超音波トランスデューサは、音波と超音波エコー信号とを交互に受信する、請求項１に記載の医療用感知システム。
【請求項１１】
前記少なくとも１つの光音響トランスデューサは、前記測定装置の遠位部分の周囲に円周方向に配される、請求項１に記載の医療用感知システム。
【請求項１２】
前記少なくとも１つの光音響トランスデューサは、前記測定装置の長手軸の周りで前記少なくとも１つの光音響トランスデューサを回転させる駆動部材に結合される、請求項１に記載の医療用感知システム。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
関心領域内の組織に光学パルスを放出する光放出器と、
関心領域の血管経路内に配置される測定装置であって、交互に並んだ第１の部分及び第２の部分に配列される２つ以上のセンサ要素を含むセンサアレイを備える測定装置とを備える医療用感知システムであって、
前記測定装置は、
前記第１の部分で、前記光学パルスと前記組織との相互作用の結果として前記組織によって生成された音波を受信し、
超音波信号を送信し、
前記第２の部分で、送信された前記超音波信号に基づく超音波エコー信号を受信する、医療用感知システム。
【請求項２】
前記センサアレイが、前記測定装置の遠位部分の周囲に円周方向に配される、請求項１に記載の医療用感知システム。
【請求項３】
前記第１の部分及び前記第２の部分は、前記センサアレイ上の表面積を等しく覆っている、請求項１に記載の医療用感知システム。
【請求項４】
前記測定装置及び前記光放出器を制御するように動作可能な処理エンジンをさらに含む、請求項１に記載の医療用感知システム。
【請求項５】
前記処理エンジンがさらに、前記光放出器と前記測定装置との動きを同期させるように動作可能である、請求項４に記載の医療用感知システム。
【請求項６】
前記処理エンジンは、受信した音波及び受信した超音波エコー信号に基づいて前記関心領域の画像を生成するように動作可能である、請求項４に記載の医療用感知システム。
【請求項７】
前記２つ以上のセンサ要素が、少なくとも１つの光音響トランスデューサ及び少なくとも１つの超音波トランスデューサを備える、請求項１に記載の医療用感知システム。
【請求項８】
前記少なくとも１つの超音波トランスデューサが、超音波信号を送信し、送信された前記超音波信号に基づく超音波エコー信号を受信する、請求項７に記載の医療用感知システム。
【請求項９】
前記少なくとも１つの超音波トランスデューサがさらに、前記光学パルスと前記組織との相互作用の結果として前記組織によって生成された音波を受信する、請求項７に記載の医療用感知システム。
【請求項１０】
前記少なくとも１つの光音響トランスデューサが、前記光学パルスと前記組織との相互作用の結果として前記組織によって生成された音波を受信する、請求項７に記載の医療用感知システム。
【請求項１１】
前記少なくとも１つの光音響トランスデューサ及び前記少なくとも１つの超音波トランスデューサが、音波と超音波エコー信号とを交互に受信する、請求項７に記載の医療用感知システム。
【請求項１２】
関心領域内の組織に光学パルスを放出する光放出器と、
前記関心領域の血管経路内に配置される測定装置であって、２つ以上のセンサ要素を含むセンサアレイを備える測定装置と、
前記測定装置と通信する処理エンジンと、
前記処理エンジンと通信するディスプレイであって、前記関心領域の画像を視覚的に表示するディスプレイとを備える、医療用感知システムであって、
前記測定装置は、
第１の部分で、前記光学パルスと前記組織との相互作用の結果として前記組織によって生成された音波を受信し、
超音波信号を送信し、
第２の部分で、送信された前記超音波信号に基づく超音波エコー信号を受信し、
前記第１の部分及び前記第２の部分は、前記センサアレイに沿って交互のパターンで配され、
前記処理エンジンは、
受信した前記音波及び受信した前記超音波エコー信号に基づいて前記関心領域の前記画像を生成する、医療用感知システム。
【請求項１３】
前記センサアレイの前記第１の部分が、少なくとも１つの光音響トランスデューサを備え、前記センサアレイの前記第２の部分が、少なくとも１つの超音波トランスデューサを備える、請求項１２に記載の医療用感知システム。
【請求項１４】
前記少なくとも１つの超音波トランスデューサが、超音波信号を送信し、送信された前記超音波信号に基づく超音波エコー信号を受信する、請求項１３に記載の医療用感知システム。
【請求項１５】
前記少なくとも１つの光音響トランスデューサ及び前記少なくとも１つの超音波トランスデューサが、音波と超音波エコー信号とを交互に受信する、請求項１３に記載の医療用感知システム。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
２Ｄ又は３Ｄ画像を表示する超音波診断撮像システムであって、当該超音波診断撮像システムは、
２次元アレイトランスデューサの素子の１×Ｎパッチでターゲット領域を走査する前記２次元アレイトランスデューサを有する超音波プローブであって、前記１×ＮパッチのＮ方向は、エレベーション方向又はアジマス方向の一方に延在し、各１×Ｎパッチは、Ｎ個の素子の総数よりも少ない複数の素子を含むサブパッチに分割される、前記超音波プローブと、
前記超音波プローブ内にあり、前記２次元アレイトランスデューサの素子に結合され、各サブパッチから受信される信号に遅延を適用して、サブパッチ信号を、前記エレベーション方向又は前記アジマス方向の前記一方において集束させるマイクロビームフォーマと、
前記超音波プローブに結合され、集束された前記サブパッチ信号を受信し、前記サブパッチ信号に遅延を適用して、前記サブパッチ信号を、前記エレベーション方向又は前記アジマス方向の他方においてステアリング及び／又は集束させるシステムビームフォーマと、
前記マイクロビームフォーマ及び前記システムビームフォーマに結合され、ターゲット領域の走査を制御するようにユーザ制御に反応するビームフォーマコントローラと、
前記システムビームフォーマによってステアリング及び／又は集束された前記サブパッチ信号に反応して画像データを生成する画像プロセッサと、
前記画像プロセッサに結合され、前記ターゲット領域の２Ｄ又は３Ｄ画像を表示するディスプレイと、
を含む、超音波診断撮像システム。
【請求項２】
前記マイクロビームフォーマは更に、前記エレベーション方向において集束されるように、各サブパッチによって送信される信号のタイミングを制御する、請求項１に記載の超音波診断撮像システム。
【請求項３】
前記マイクロビームフォーマは更に、前記エレベーション方向における点焦点に集束されるように、各サブパッチによって送信される信号のタイミングを制御する、請求項２に記載の超音波診断撮像システム。
【請求項４】
前記マイクロビームフォーマは更に、前記エレベーション方向における平面波として集束されるように、各サブパッチによって送信される信号のタイミングを制御する、請求項２に記載の超音波診断撮像システム。
【請求項５】
前記マイクロビームフォーマは、前記サブパッチ信号を前記エレベーション方向における点に集束させるように、各サブパッチから受信される信号に遅延を適用する、請求項１に記載の超音波診断撮像システム。
【請求項６】
前記マイクロビームフォーマは、前記サブパッチ信号を前記エレベーション方向における平面波として集束させるように、各サブパッチから受信される信号に遅延を適用する、請求項１に記載の超音波診断撮像システム。
【請求項７】
前記マイクロビームフォーマは更に、各サブパッチから受信される信号にアナログ遅延を適用するマイクロビームフォーマ回路を含む、請求項１に記載の超音波診断撮像システム。
【請求項８】
前記マイクロビームフォーマは、前記サブパッチの送信信号及び／又は受信信号を前記エレベーション方向において集束させ、
前記システムビームフォーマは更に、前記エレベーション方向に集束される前記サブパッチ信号をデジタル的に遅延させるデジタルビームフォーマを含む、請求項７に記載の超音波診断撮像システム。
【請求項９】
前記２次元アレイトランスデューサは更に、各列がＮ個の素子を含むＭ列の素子を含み、
Ｍは、前記アジマス方向又は前記エレベーション方向の一方に延在し、Ｎは、前記アジマス方向又は前記エレベーション方向の他方に延在する、請求項１に記載の超音波診断撮像システム。
【請求項１０】
各１×Ｎパッチの前記アジマス方向に、単一のトランスデューサ素子を含み、各１×Ｎパッチの前記エレベーション方向に、複数のトランスデューサ素子を含む、請求項１に記載の超音波診断撮像システム。
【請求項１１】
前記Ｎ方向は、前記エレベーション方向に延在し、前記マイクロビームフォーマによって、各サブパッチから受信される信号に適用される前記遅延は、前記アジマス方向における集束をもたらさない、請求項１に記載の超音波診断撮像システム。
【請求項１２】
前記マイクロビームフォーマの遅延によって生成される波面は、前記アジマス方向に延在する平面に沿って集束される、請求項１に記載の超音波診断撮像システム。
【請求項１３】
前記システムビームフォーマの遅延によって生成される波面は、前記エレベーション方向に延在する平面に沿って集束される、請求項１２に記載の超音波診断撮像システム。
【請求項１４】
前記マイクロビームフォーマ及び前記システムビームフォーマの遅延によって生成される波面は、前記アジマス方向及び前記エレベーション方向の両方においてステアリング及び集束される、請求項１に記載の超音波診断撮像システム。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
スピネトラムを産生させるプロセスであって、
（ａ） ＣＯＤが１，５−シクロオクタジエンであってＯＴｓがｐ−トルエンスルホン酸である、［Ｒｈ（Ｃ２Ｈ４）２Ｃｌ］２、［Ｒｈ（ＣＯＤ）２］［ＢＦ４］、Ｒｈ（ＣＯＤ）２］［ＯＴｓ］、およびその組合せ、からなる群から選択される均一系触媒；および
（ｂ） トリス（３，５−ジメチルフェニル）ホスフィン、
2019509992.tif 000001
およびそれらの混合物から成る群より選択されるリン配位子ドナー、
の存在下で、１５℃〜１００℃の温度で、５ｐｓｉｇ〜２００ｐｓｉｇの水素ガス圧により、３’−Ｏ−エチルスピノシンＪと３’−Ｏ−エチルスピノシンＬの混合物を選択的に水素化させることを含む、プロセス。
【請求項２】
前記リン配位子ドナーが、トリス（３，５−ジメチルフェニル）ホスフィンを含む、請求項１に記載のプロセス。
【請求項３】
前記リン配位子ドナーが、
【化１】
2019509992.tif 000002
からなる群より選択される、請求項１に記載のプロセス。
【請求項４】
前記温度が約３０℃、４５℃、または６５℃である、請求項１に記載のプロセス。
【請求項５】
前記水素ガス圧が約６０ｐｓｉｇまたは１５０ｐｓｉｇである、請求項１に記載のプロセス。
【請求項６】
前記スピネトラムの収率が、１Ｈ核磁気共鳴（ＮＭＲ）分光解析法または高速液体クロマトグラフィー（ＨＰＬＣ）分析により約９０％以上である、請求項１に記載のプロセス。
【請求項７】
前記触媒量が０．０１ｍｏｌ％〜２ｍｏｌ％である、請求項１に記載のプロセス。
【請求項８】
前記均一系触媒は、［Ｒｈ（Ｃ２Ｈ４）２Ｃｌ］２である、請求項１に記載のプロセス。
【請求項９】
（ａ） ３’−Ｏ−エチルスピノシンＪと３’−Ｏ−エチルスピノシンＬの混合物；
（ｂ） ＣＯＤが１，５−シクロオクタジエエンであってＯＴｓがｐ−トルエンスルホン酸である、［Ｒｈ（Ｃ２Ｈ４）２Ｃｌ］２、［Ｒｈ（ＣＯＤ）２］［ＢＦ４］、［Ｒｈ（ＣＯＤ）２］［ＯＴｓ］、およびその組合せからなる群から選択される均一系触媒；および
（ｃ） トリス（３，５−ジメチルフェニル）ホスフィン、
2019509992.tif 000003
およびそれらの組み合わせからなる群より選択されるリン配位子ドナー、
を含むスピネトラムを産生するための選択的水素化システム。
【請求項１０】
前記リン配位子ドナーが、トリス（３，５−ジメチルフェニル）ホスフィンを含む、請求項９に記載のシステム。
【請求項１１】
前記リン配位子ドナーは、
【化２】
2019509992.tif 000004
からなる群より選択される、請求項９に記載のシステム。
【請求項１２】
請求項９に記載のシステムを提供して、１５℃〜１００℃の温度で、５ｐｓｉｇ〜２００ｐｓｉｇの水素ガス圧により、３’−Ｏ−エチルスピノシンＪと３’−Ｏ−エチルスピノシンＬの混合物を水素化する、ことを含む、スピネトラムを産生するプロセス。
【請求項１３】
スピネトラムの収率が、１Ｈ核磁気共鳴（ＮＭＲ）分光解析法または高速液体クロマトグラフィー（ＨＰＬＣ）分析により約９０％以上である、請求項１２に記載のプロセス。
【請求項１４】
前記触媒量が０．０１ｍｏｌ％〜２ｍｏｌ％である、請求項１２に記載のプロセス。
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
乳がんを治療する方法における使用のための接着性間質細胞（ＡＳＣ）であって、前記ＡＳＣが胎盤組織に起源する、ＡＳＣ。
【請求項２】
前記ＡＳＣが３次元（３Ｄ）培養から取得されている、請求項１に記載の、使用のためのＡＳＣ。
【請求項３】
前記３Ｄ培養が、前記３Ｄ培養の過程の間中、組成が変えられない培地を利用する、請求項２に記載の、使用のためのＡＳＣ。
【請求項４】
前記３Ｄ培養のインキュベーション培地に、１以上の炎症促進性サイトカインが添加される、請求項２に記載の、使用のためのＡＳＣ。
【請求項５】
前記３Ｄ培養が：（ａ）ＡＳＣを３Ｄ培養装置中、第一の増殖培地であって、炎症性サイトカインが添加されていない、前記第一の増殖培地中でインキュベートすること；及び、（ｂ）その後、前記ＡＳＣを３Ｄ培養装置中、第二の増殖培地であって、前記１以上の炎症促進性サイトカインが添加されている、前記第二の増殖培地中でインキュベートすること、を含む、請求項４に記載の、使用のためのＡＳＣ。
【請求項６】
前記１以上の炎症促進性サイトカインが腫瘍壊死因子アルファ（ＴＮＦ−α）又はインターフェロン・ガンマ（ＩＦＮ−ガンマ）を含む、請求項４に記載の、使用のためのＡＳＣ。
【請求項７】
前記３Ｄ培養が、３Ｄバイオリアクターを含む装置中で行われる、請求項２〜６のいずれか一項に記載の、使用のためのＡＳＣ。
【請求項８】
前記３Ｄ培養が、線維性ベッドマトリクスを含む装置中で行われ、前記繊維性ベッドマトリクスが合成接着性材料を含む、請求項２〜７のいずれか一項に記載の、使用のためのＡＳＣ。
【請求項９】
前記ＡＳＣが、前記３Ｄ培養に先立って、２Ｄ接着性細胞培養装置中でインキュベートされている、請求項２〜８のいずれか一項に記載の、使用のためのＡＳＣ。
【請求項１０】
前記ＡＳＣが少なくとも主に母体細胞である、請求項１〜９のいずれか一項に記載の、使用のためのＡＳＣ。
【請求項１１】
前記ＡＳＣが少なくとも主に胎児細胞である、請求項１〜９のいずれか一項に記載の、使用のためのＡＳＣ。
【請求項１２】
前記乳がんが三重陰性である、請求項１〜１１のいずれか一項に記載の、使用のためのＡＳＣ。
【請求項１３】
前記ＡＳＣが全身に投与される、請求項１〜１２のいずれか一項に記載の、使用のためのＡＳＣ。
【請求項１４】
前記ＡＳＣが腫瘍内に投与される、請求項１〜１２のいずれか一項に記載の、使用のためのＡＳＣ。